(57)【要約】【課題】建物内のスペースの有効利用を図りつつ、排熱利用の促進を図ることができ、しかも蓄電池の性能を良好に維持することができる蓄電池収納庫等を得る。【解決手段】建物の階段室２０には折り返し階段２２が設置されている。折り返し階段２２の中心部には間仕切り壁４２で囲まれた蓄電池収納庫４０が配設されている。間仕切り壁４２における踏み板３６の下方に対応する位置には開口部７８及びシャッタ８０が配設されている。また階段室２０内には階段設置側スペース気温検出センサ９６が配設されており、気温が低い冬季等にはシャッタ８０が自動開放されて暖気が踏み板３６の下方及びその周囲に取込まれるようになっている。【選択図】図１
2010174592.tif 000002
【特許請求の範囲】
【請求項１】
建物の折り返し階段又は回り階段の側面に立設された中壁を壁面として利用して設けられると共に建物高さ方向に延在し、蓄電池を建物高さ方向に複数段に収納可能とされた蓄電池収納室と、
前記中壁における踏み板下方に設けられ、蓄電池収納室内室と階段踏み板下方スペースとを相互に連通する開口部と、
この開口部に設けられ、開口部を開放する開放位置及び開口部を閉止する閉止位置間を移動可能に設けられた開口部開閉体と、
前記開口部又は階段設置側スペースに設けられ、作動することにより蓄電池収納室内の空気を前記開口部から階段設置側へ送る送気手段と、
を有する蓄電池収納庫。
【請求項２】
前記階段設置側スペースの気温を検出する階段設置側スペース気温検出手段と、
この階段設置側スペース気温検出手段によって検出された気温が第１の所定温度未満の場合には前記開口部開閉体を開放すると共に前記送気手段を作動させ、階段設置側スペース気温検出手段によって検出された気温が第１の所定温度以上の場合には前記開口部開閉体を閉止すると共に前記送気手段を停止させる制御手段と、
を有することを特徴とする請求項１記載の蓄電池収納庫。
【請求項３】
前記蓄電池収納室内に設けられ、蓄電池収納室内の気温を検出する蓄電池収納室内気温検出手段と、
前記蓄電池収納室内に設けられ、作動することにより前記蓄電池収納室内の空気を天井裏スペース側へ排気する排気手段と、を備え、
前記制御手段は、前記蓄電池収納室内気温検出手段によって検出された気温が前記第１の所定温度よりも高い第２の所定温度以上の場合には前記排気手段を作動させる、
ことを特徴とする請求項２記載の蓄電池収納庫。
【請求項４】
前記蓄電池収納室内に設けられ、蓄電池収納室内の気温を検出する蓄電池収納室内気温検出手段と、
前記蓄電池収納室内に設けられ、作動することにより前記床下スペース内の空気を導入し前記蓄電池収納室内の空気を床下スペース側へ排気する換気手段と、を備え、
前記制御手段は、前記蓄電池収納室内気温検出手段によって検出された気温が前記第１の所定温度よりも高い第２の所定温度未満の場合には、前記換気手段を停止させ、前記蓄電池収納室内気温検出手段によって検出された気温が第２の所定温度以上の場合には、前記換気手段を作動させる、
を有することを特徴とする請求項２記載の蓄電池収納庫。
【請求項５】
前記換気手段は、
蓄電池収納室内に立設されると共に下端部が床下空気取入口を介して床下スペースに連通された給気ダクトと、この給気ダクトの上端部側に設けられると共に作動することにより床下スペース内の空気を蓄電池収納室の上部へ送気する給気ユニットと、を含んで構成された給気手段と、
蓄電池収納室内を流下した空気を前記床下スペースから外部へ排気する排気手段と、
を備えている、
ことを特徴とする請求項４記載の蓄電池収納庫。
【請求項６】
前記蓄電池収納室内には蓄電池を複数段に収納するための複数の棚部を備えた収納棚が設置されていると共に、
当該棚部には同じ段に収納された複数の蓄電池を電気的に接続するための配電部材が設けられている、
ことを特徴とする請求項１〜請求項５のいずれか１項に記載の蓄電池収納庫。
【請求項７】
前記蓄電池収納室内には、下階側から上階側に亘って建物高さ方向に延在する配電スペースが設けられている、
ことを特徴とする請求項１〜請求項６のいずれか１項に記載の蓄電池収納庫。
【請求項８】
前記配電スペースは、各階の床又は天井の高さで電気配線の横引きが可能となるように形成されている、
ことを特徴とする請求項７記載の蓄電池収納庫。
【請求項９】
前記中壁における階段隣接側の桁面及び階段に面した側の妻面の少なくとも一方には、蓄電池が挿通可能な大きさに形成された取出し口と、
この取出し口を開閉する取出し口開閉体と、
を有することを特徴とする請求項１〜請求項８のいずれか１項に記載の蓄電池収納庫。
【請求項１０】
前記複数の棚部の各々には、軸線回りに回転自在に支持されて蓄電池が載置される複数のローラが連続的に配置されていると共に、
前記配電部材は、当該複数のローラの上方に離間して配置されており、
蓄電池が複数のローラ上を滑動する際には、蓄電池の電源端子が配電部材に設けられた導通面上を摺動することにより、電気的接続状態が維持されている、
ことを特徴とする請求項９記載の蓄電池収納庫。
【請求項１１】
請求項１〜請求項１０のいずれか１項に記載された蓄電池収納庫を予め備えている、
ことを特徴とする階段。
【請求項１２】
請求項１〜請求項１０のいずれか１項に記載の蓄電池収納庫を予め備えている、
ことを特徴とする建物。
【発明の詳細な説明】
【技術分野】
【０００１】
本発明は、蓄電池収納庫及びこれを備えた階段並びに建物に関する。
【背景技術】
【０００２】
下記特許文献１には、住宅用の電力蓄蔵システムにおいて、外壁パネルにおける外面パネルと内面パネルとの間の空間（デッドスペース）に、薄型の蓄電池を収納させた技術が開示されている。さらに、この技術では、蓄電池を収納する外壁パネルの内部スペースと屋根裏スペースとが天井梁に隣接して設けた隙間を介して相互に連通されていると共に、外壁パネルの内部スペースと床下スペースとが土台に隣接して設けた隙間を介して相互に連通されている。
【特許文献１】特開２０００−３２８７９７号公報
【特許文献２】特開平１１−１４１７５６号公報
【発明の開示】
【発明が解決しようとする課題】
【０００３】
しかしながら、上記特許文献１に開示された先行技術による場合、以下に列挙する課題がある。
【０００４】
すなわち、外壁パネルの内部スペースに蓄電池を収納させた場合、外部からの日射等により蓄電池の収納スペースが高温になったり、或いは降雪時に積雪した雪等によって蓄電池の収納スペースが低温になったりする。このため、外部気温の影響を受け易く、蓄電池の性能を低下させる可能性がある。なお、上記先行技術による場合、天井裏スペース及び床下スペースとの自然換気による温度調節機能を有するが、自然換気によるものなので、自ずと限界がある。
【０００５】
また、この先行技術による場合、蓄電池から放出される排熱は、天井裏へ排出されるだけであるので、排熱の有効利用がなされていない。
【０００６】
さらに、建物の耐久性に比べて蓄電池の寿命は短いため、電池交換は不可欠であるが、この先行技術のように外壁パネルの内部スペースに蓄電池を収納させると、蓄電池に容易にアクセスすることができない。このため、蓄電池の交換作業・メンテナンス作業を容易に行うこと（以下、適宜、単に「メンテナンス性」と称す。）ができない。
【０００７】
従って、上記先行技術は、これらの観点から、改良の余地がある。
【０００８】
本発明は上記事実を考慮し、建物内のスペースの有効利用を図りつつ、排熱利用の促進を図ることができ、しかも蓄電池の性能を良好に維持することができる蓄電池収納庫及びこれを備えた階段並びに建物を得ることが第１の目的である。
【０００９】
また、メンテナンス性の向上を図ることができる蓄電池収納庫及びこれを備えた階段並びに建物を得ることが第２の目的である。
【課題を解決するための手段】
【００１０】
請求項１の発明に係る蓄電池収納庫は、建物の折り返し階段又は回り階段の側面に立設された中壁を壁面として利用して設けられると共に建物高さ方向に延在し、蓄電池を建物高さ方向に複数段に収納可能とされた蓄電池収納室と、前記中壁における踏み板下方に設けられ、蓄電池収納室内室と階段踏み板下方スペースとを相互に連通する開口部と、この開口部に設けられ、開口部を開放する開放位置及び開口部を閉止する閉止位置間を移動可能に設けられた開口部開閉体と、前記開口部又は階段設置側スペースに設けられ、作動することにより蓄電池収納室内の空気を前記開口部から階段設置側へ送る送気手段と、を有している。
【００１１】
請求項２の発明に係る蓄電池収納庫は、請求項１記載の発明において、前記階段設置側スペースの気温を検出する階段設置側スペース気温検出手段と、この階段設置側スペース気温検出手段によって検出された気温が第１の所定温度未満の場合には前記開口部開閉体を開放すると共に前記送気手段を作動させ、階段設置側スペース気温検出手段によって検出された気温が第１の所定温度以上の場合には前記開口部開閉体を閉止すると共に前記送気手段を停止させる制御手段と、を有することを特徴としている。
【００１２】
請求項３の発明に係る蓄電池収納庫は、請求項２記載の発明において、前記蓄電池収納室内に設けられ、蓄電池収納室内の気温を検出する蓄電池収納室内気温検出手段と、作動することにより前記蓄電池収納室内の空気を天井裏スペース側へ排気する排気手段を備え、前記制御手段は、階段設置側スペース気温検出手段によって検出された気温が前記第１の所定温度よりも高い第２の所定温度以上の場合には前記排気手段を作動させる、ことを特徴としている。
【００１３】
請求項４の発明に係る蓄電池収納庫は、請求項２記載の発明において、前記蓄電池収納室内に設けられ、蓄電池収納室内の気温を検出する蓄電池収納室内気温検出手段と、前記蓄電池収納室内に設けられ、作動することにより前記蓄電池収納室内の空気と床下スペース内の空気を床下スペース側へ排気する換気手段と、を備え、前記制御手段は、前記蓄電池収納室内気温検出手段によって検出された気温が前記第１の所定温度よりも高い第２の所定温度未満の場合には、前記換気手段を停止させ、前記蓄電池収納室内気温検出手段によって検出された気温が第２の所定温度以上の場合には、前記換気手段を作動させる、ことを特徴としている。
【００１４】
請求項５の発明に係る蓄電池収納庫は、請求項４記載の発明において、前記換気手段は、蓄電池収納室内に立設されると共に下端部が床下空気取入口を介して床下スペースに連通された給気ダクトと、この給気ダクトの上端部側に設けられると共に作動することにより床下スペース内の空気を蓄電池収納室の上部へ送気する給気ユニットと、を含んで構成された給気手段と、蓄電池収納室内を流下した空気を前記床下スペースから外部へ排気する排気手段と、を備えている、ことを特徴としている。
【００１５】
請求項６の発明に係る蓄電池収納庫は、請求項１〜請求項５のいずれか１項に記載の発明において、前記蓄電池収納室内には蓄電池を複数段に収納するための複数の棚部を備えた収納棚が設置されていると共に、当該棚部には同じ段に収納された複数の蓄電池を電気的に接続するための配電部材が設けられている、ことを特徴としている。
【００１６】
請求項７の発明に係る蓄電池収納庫は、請求項１〜請求項６のいずれか１項に記載の発明において、前記蓄電池収納室内には、下階側から上階側に亘って建物高さ方向に延在する配電スペースが設けられている、ことを特徴としている。
【００１７】
請求項８の発明に係る蓄電池収納庫は、請求項７記載の発明において、前記配電スペースは、各階の床又は天井の高さで電気配線の横引きが可能となるように形成されている、ことを特徴としている。
【００１８】
請求項９の発明に係る蓄電池収納庫は、請求項１〜請求項８のいずれか１項に記載の発明において、前記中壁における階段隣接側の桁面及び階段に面した側の妻面の少なくとも一方には、蓄電池が挿通可能な大きさに形成された取出し口と、この取出し口を開閉する取出し口開閉体と、を有することを特徴としている。
【００１９】
請求項１０の発明に係る蓄電池収納庫は、請求項９記載の発明において、前記複数の棚部の各々には、軸線回りに回転自在に支持されて蓄電池が載置される複数のローラが連続的に配置されていると共に、前記配電部材は、当該複数のローラの上方に離間して配置されており、蓄電池が複数のローラ上を滑動する際には、蓄電池の電源端子が配電部材に設けられた導通面上を摺動することにより、電気的接続状態が維持されている、ことを特徴としている。
【００２０】
請求項１１の発明に係る階段は、請求項１〜請求項１０のいずれか１項に記載された蓄電池収納庫を予め備えている、ことを特徴としている。
【００２１】
請求項１２の発明に係る建物は、請求項１〜請求項１０のいずれか１項に記載の蓄電池収納庫を予め備えている、ことを特徴としている。
【００２２】
請求項１記載の本発明によれば、蓄電池収納室は、建物の折り返し階段又は回り階段の側面に立設された中壁を壁面として利用して建物高さ方向に延在されている。このスペースは通常デッドスペースとされるため、建物のスペースの有効利用が図れる。また、建物内の階段スペースに蓄電池収納室が形成されることになり、中壁は外部に面しない壁であるので、先行技術のように建物外壁部に蓄電池収納室を設ける構造に比し、外気温の影響を受け難い。また、中壁における踏み板下方には開口部が設けられており、当該開口部は開口部開閉体によって開閉可能とされている。このため、開口部開閉体を開放位置に保持し、送気手段を作動させると、蓄電池収納室内の空気が開口部から階段設置側へ送られる。従って、冬季等において階段設置側スペースの気温が低い場合に、開口部を開放させて送気手段を作動させることにより、蓄電池収納室内に溜まった蓄電池からの排熱が開口部を通って階段踏み板下方スペースに供給される。これにより、階段の踏み板及びその周囲を暖めることができる。
【００２３】
請求項２記載の本発明によれば、階段設置側スペース気温検出手段によって階段設置側スペースの気温が検出される。そして、階段設置側スペース気温検出手段によって検出された気温が第１の所定温度未満の場合には、制御手段によって開口部開閉体が開放状態とされる。このため、冬季等において階段設置側スペースの気温が低い場合には、開口部が開放されて蓄電池収納室内の暖気が階段設置側スペース内へ取り込まれ、階段の踏み板及びその周囲が暖められる。一方、階段設置側スペース気温検出手段によって検出された気温が第１の所定温度以上の場合には、制御手段によって開口部開閉体が閉止状態とされる。このため、夏季等において階段設置側スペースの気温が高い場合には、開口部は閉止されて蓄電池収納室内の高温の空気が階段設置側スペース内へ取り込まれないようにすることができる。
【００２４】
請求項３記載の本発明によれば、蓄電池収納室内には排気手段が設けられており、蓄電池収納室内気温検出手段によって検出された気温が前記第１の所定温度よりも高い第２の所定温度以上の場合には、制御手段によって排気手段が作動される。このため、蓄電池収納室内の空気が天井裏スペース側へ排気される。従って、夏季等の気温が高いときには、蓄電池収納室内の高温の空気が積極的に排気され、蓄電池の温度上昇が抑制される。
【００２５】
請求項４記載の本発明によれば、蓄電池収納室内には換気手段が設けられており、蓄電池収納室内気温検出手段によって検出された気温が第１の所定温度よりも高い第２の所定温度以上の場合には、制御手段によって換気手段が作動される。このため、床下スペース内の冷気が蓄電池収納室内に導入される。これにより、蓄電池が冷却されて蓄電池の性能が低下するのを防ぐことができる。
【００２６】
一方、蓄電池収納室内気温検出手段によって検出された気温が第２の所定温度未満の場合には制御手段によって換気手段が停止される。従って、冬季等において蓄電池収納室内の気温が第２の所定温度よりもずっと低く第１の所定温度未満で開口部開閉体が開放されているような場合に、床下スペース内の低温の空気が蓄電池収納室内へ導入されることはない。
【００２７】
請求項５記載の本発明によれば、蓄電池収納室内に給気ダクトが立設されており、給気手段の給気ユニットを作動させると、床下スペース内の冷却された空気が給気ダクトの下端部から取り入れられて、給気ユニットから蓄電池収納室の上部へ送られる。供給された床下スペース内の冷気は、蓄電池を直接冷却すると共に蓄電池から排出された排熱から熱を奪って熱交換する。そして、熱交換後の空気は蓄電池収納室内を流下し、排気手段によって床下スペースから外部へ排気される。このように本発明では、床下スペース内の冷気の冷熱を、給気ダクトを通る際の熱損失以外は損失することなく、蓄電池収納室内の上部に届けることができる。従って、排熱が溜まる蓄電池収納室の上部を効果的に冷却することができる。
【００２８】
請求項６記載の本発明によれば、蓄電池収納室内には収納棚が設置されており、棚部には配電部材が設けられている。同じ段に収納された複数の蓄電池はこの配電部材を用いて収納させることにより、電気的接続状態が確保される。
【００２９】
請求項７記載の本発明によれば、配電スペースは下階側から上階側に亘って建物高さ方向に延在するため、上下階で支障物のない一繋がりの連続した空間が形成される。
【００３０】
請求項８記載の本発明によれば、配電スペースは各階の床又は天井の高さで電気配線の横引きが可能となるように形成されているので、太陽光発電用の外部電源や商用電源、自然冷媒ヒートポンプ給湯機との接続が容易になる。
【００３１】
請求項９記載の本発明によれば、中壁における階段隣接側の桁面及び階段に面した側の妻面の少なくとも一方に、蓄電池が挿通可能な取出し口が形成されているので、メンテナンス時には取出し口開閉体を開放させれば階段途中から或いは階段フロア側から蓄電池を取り出すことができる。
【００３２】
請求項１０記載の本発明によれば、蓄電池を収納させる際には各棚部に設けられた複数のローラ上に蓄電池を載置させ、そのまま蓄電池を押せば蓄電池はローラ上を滑動しながら棚部の奥側に移動させることができる。しかも、蓄電池が複数のローラ上を滑動する際には蓄電池の電源端子が配電部材に設けられた導通面上を摺動することにより、電気的接続状態が維持されるので、蓄電池を棚部の奥側へ収納してから電気的接続状態を担保する場合に比べて作業負担が非常に少なくなる。
【００３３】
請求項１１記載の本発明によれば、折り返し階段又は回り階段が請求項１〜請求項１０のいずれか１項に記載された蓄電池収納庫を予め備えているので、蓄電池収納庫を折り返し階段又は回り階段に後付けする場合に比べて費用がかからない。つまり、蓄電池収納庫を折り返し階段又は回り階段に後付けする場合には、階段自体をある程度解体しなければ蓄電池収納庫を設置することができないため、改築費用がかかるが、折り返し階段又は回り階段に予め蓄電池収納庫を組み込んでおけば、費用は最小限に抑えられる。
【００３４】
請求項１２記載の本発明によれば、建物が請求項１〜請求項１０のいずれか１項に記載の蓄電池収納庫を予め備えているので、請求項１１記載の発明と同様の理由から、費用は最小限に抑えられる。
【発明の効果】
【００３５】
以上説明したように、請求項１記載の蓄電池収納庫は、建物内のスペースの有効利用を図りつつ、排熱利用の促進を図ることができ、しかも蓄電池の性能を良好に維持することができるという優れた効果を有する。
【００３６】
請求項２記載の本発明に係る蓄電池収納庫は、冬季等の気温が低いときに階段の踏み板及びその周囲を自動的に暖めることができるという優れた効果を有する。
【００３７】
請求項３記載の本発明に係る蓄電池収納庫は、夏季等の気温が高い時期に蓄電池が高温になるのを抑制し、蓄電池の性能を良好に保つことができるという優れた効果を有する。
【００３８】
請求項４記載の本発明に係る蓄電池収納庫は、夏季等の気温が高い時期に蓄電池が高温になるのを抑制し、蓄電池の性能を良好に保つことができるという優れた効果を有する。
【００３９】
請求項５記載の本発明に係る蓄電池収納庫は、蓄電池収納室内の最も冷却したいところから冷却することができ、それにより蓄電池を効果的に冷却することができるという優れた効果を有する。
【００４０】
請求項６記載の本発明に係る蓄電池収納庫は、蓄電池の結線作業、配線作業を削減することができるという優れた効果を有する。
【００４１】
請求項７記載の本発明に係る蓄電池収納庫は、上下階に亘る配線の結線作業や配線作業が容易になるという優れた効果を有する。
【００４２】
請求項８記載の本発明に係る蓄電池収納庫は、蓄電池と外部電源等との接続を容易にすることができるという優れた効果を有する。
【００４３】
請求項９記載の本発明に係る蓄電池収納庫は、蓄電池のメンテナンス性を向上させることができるという優れた効果を有する。
【００４４】
請求項１０記載の本発明に係る蓄電池収納庫は、蓄電池の棚部への収納時の作業負担を非常に軽減することができるという優れた効果を有する。
【００４５】
請求項１１記載の本発明に係る階段は、ユーザーの費用負担を抑えながら蓄電池収納庫を持つことができるという優れた効果を有する。
【００４６】
請求項１２記載の本発明に係る建物は、ユーザーの費用負担を抑えながら蓄電池収納庫を持つことができるという優れた効果を有する。
【発明を実施するための最良の形態】
【００４７】
〔第１実施形態〕
【００４８】
以下、図１〜図９を用いて、本発明に係る蓄電池収納庫及びこれを用いた階段並びに建物の第１実施形態について説明する。
【００４９】
図１には、本実施形態に係る蓄電池収納庫を備えた階段の側面図（立面図）が示されている。また、図２には、当該階段の平面図が示されている。さらに、図６には、蓄電池収納庫に収納棚が収容された状態の側面図（立面図）が示されている。
【００５０】
図１及び図６に示されるように、建物としてのユニット建物１０は、図示しない基礎上に複数個の箱型等の建物ユニット１２を据え付けることにより構成された一階部分１４と、当該一階部分１４の上に複数の箱型等の建物ユニット１６を据え付けることにより構成された二階部分１８と、当該二階部分１８の上に据え付けられた図示しない屋根部分と、を含んで構成されている。
【００５１】
上述したユニット建物１０内には、上下階を行き来するための階段室２０が設けられている。階段室２０内には、一例として折り返し階段２２が設置されている。図１、図２及び図６に示されるように、この折り返し階段２２は、単体の建物ユニット１２内に納まるように設計されている。なお、階段室２０内に設置する階段の種類は、必ずしも折り返し階段２２である必要はなく、回り階段でもよい。
【００５２】
折り返し階段２２は、階段下部２６と、階段上部２８と、階段下部２６と階段上部２８との接続部位に設けられた踊り場３０と、を含んで構成されている。階段下部２６及び階段上部２８は、階段中央に斜めに配置された力桁３２と、この力桁３２に昇降方向に所定の間隔で立設された支持部材３４（図６参照）と、各支持部材３４の上端部に固定された複数枚（段）の踏み板３６と、を含んで構成されている。すなわち、この折り返し階段２２は、所謂スケルトン階段として構成されている。踏み板３６は、支持部材３４の先端部に固定される補強板３６Ａと、この補強板３６Ａの上面側に固定される踏み板材３６Ｂと、踏み板材３６Ｂの裏面と補強板３６Ａとの隙間を埋める木３６Ｃとで構成されている。但し、階段構造は上記に限らず、種々の構造が適用可能である。例えば、力桁３２に替えてささら桁を用いてもよいし、踏み板３６の段鼻の手前に蹴込み板を設ける等、種々の階段構造を採用することができる。
【００５３】
図２等に示されるように、上述した折り返し階段２２の中心部には、蓄電池収納庫４０が設けられている。具体的には、折り返し階段２２の中心部には平面視で矩形状に配置された中壁としての間仕切り壁４２が立設されており、この４枚の間仕切り壁４２で隔成された空間が、蓄電池４４を収納するための蓄電池収納室４６とされている。なお、本実施形態では、間仕切り壁４２は予め工場で建物ユニット１２を組み立てる際に折り返し階段２２と共に組み付けてしまうが、建築地で折り返し階段２２と共に間仕切り壁４２を組み付けるようにしてもよい。また、図６に示されるように、４枚の間仕切り壁４２、即ち蓄電池収納室４６は、ユニット建物１０の上下階に亘って建物高さ方向に延在されている。さらに、４枚の間仕切壁４２のうち、階段ホール側の間仕切り４２は後述する蓄電池４４のメンテナンスを考慮して適宜位置で分割されて着脱可能とされている。
【００５４】
図６及び図７に示されるように、上述した蓄電池収納室４６内には、ラック状の収納棚４８が設けられている。収納棚４８は、四隅に立設された４本の支持フレーム５０と、これらの４本の支持フレーム５０に建物高さ方向に所定の間隔で配置された複数段の棚部５２と、を含んで構成されている。なお、この収納棚４８は、間仕切り壁４２の裏面側に間仕切り壁４２を支持するために元々設けられている下地フレームを兼用する形で構築されている。
【００５５】
図８及び図９には、棚部５２の詳細構造が示されている。図８に示されるように、棚部５２は、矩形枠状に配置された外枠５４を備えており、この外枠５４内には多数のローラ５６が配列されている。外枠５４の長辺側のフレーム５４Ａは縦断面形状がコ字状のチャンネル材で構成されており、この長辺側のフレーム５４Ａ内にローラ５６の軸芯部に配置された支軸５８（図９参照）の両端部が回転自在に軸支されている。なお、図８では、後述する配電ボード６０を図示する関係で下段側の棚部５２についてのみローラ５６を図示しているが、上段側の棚部５２にも同様にローラ５６が配設されている。
【００５６】
一方、棚部５２の下面側には、薄型の矩形パネル状に形成された配電部材としての配電ボード６０が固定されている。従って、配電ボード６０はローラ５６の上方に所定距離だけ離間した状態で対向して配置されている。図９に示されるように、配電ボード６０の表面は樹脂等の絶縁材料によって構成されている。配電ボード６０の下面には、一対の溝６２が平行に形成されている。溝６２はローラ５６側を開放側として形成されており、縦断面形状は矩形状とされている。この溝６２の底面６２Ａには、導電性材料によって構成された導電板（図示省略）が取り付けられている。なお、配電ボード６０は必ずしもボードとして把握される部材である必要はなく、配電ダクトとして把握される部材であってもよい。
【００５７】
上述した棚部５２には、略直方体形状の蓄電池４４が収納されるようになっている。すなわち、収納棚４８の支持フレーム５０間の左右幅及び上下に隣り合う棚部５２間の高さは、蓄電池４４が挿通可能な幅及び高さに設定されている。
【００５８】
また、蓄電池４４の上面には、±一対の電源端子６４が平行に形成されている。一対の電源端子６４は、平面視で配電ボード６０に形成された一対の溝６２と重なる位置に配置されている。各電源端子６４の幅は、配電ボード６０の溝６２の溝幅よりも若干狭く設定されている。また、各電源端子６４の高さは溝６２の溝深さに対して若干高めに設定されており、蓄電池４４の上面に対して若干上下動できるように支持されている。電源端子６４を上下方向にスライド可能に支持するための具体的な構成としては種々の構成を採ることができる。ここでは、図９に示されるように、電源端子６４の下面と蓄電池４４のケーシング４５の上面との間にスプリングワッシャ４７を介装させて、ビス４９で電源端子６４をケーシング４５に固定したときに電源端子６４がケーシング４５の上面に対してフローティング支持されるようになっている。
【００５９】
従って、一対の電源端子６４を配電ボード６０の一対の溝６２内へ嵌合させることができ、本実施形態では、蓄電池４４を棚部５２のローラ５６上に載置する際に、一対の電源端子６４を一対の溝６２内へ嵌合させながらローラ５６上に載置させることにより、一対の電源端子６４の上端面が一対の溝６２の底面６２Ａに取り付けられた導電板にスプリングワッシャ４７の付勢力で面接触し、ローラ５６上を蓄電池４４が移動する際にも電気的接続状態が確保されるようになっている。
【００６０】
さらに、図７及び図８に示されるように、上述した棚部５２の蓄電池挿入方向（図８の矢印Ａ方向）奥側には、所定幅の配電スペース（配線立ち上げスペース）６６が形成されている。図６及び図７に示されるように、配線スペース６６は、下階側の建物ユニット１２の床面６８から上階側の建物ユニット１６の天井面７０まで建物高さ方向に沿って延在されている。この配線スペース６６の上端部は、上階の天井裏スペース７２に連通されており、電気配線７４を横引きすることができるようになっている。同様に、配線スペース６６の下端部は、下階側の床下スペース７６に連通されており、電気配線７４を横引きすることができるようになっている。つまり、天井裏スペース７２から電気配線７４を引き込むこともでき、かつ床下スペース７６から電気配線７４を引き込むことも可能である。また、配線スペース６６から各棚部５２に配設された配電ボード６０とが電気的に接続されるようになっている。例えば、配電ボード６０の先端部に前述した導電板と接続された端子が配置されており、配電スペース６６内を通された電気配線７４を当該端子に結線するようになっている。
【００６１】
なお、上記電気配線７４には、商用電力系統、太陽電池等の独立電源、或いは自動車の燃料電池の余剰電力等から受電するための配線や、蓄電池４４で溜めた電力を、ユニット建物１０で使用するエアコン、照明装置、プラグインハイブリッド車、自然冷媒ヒートポンプ給湯器等の負荷に給電するための配線等が含まれる。つまり、この建物用蓄電システムは、蓄電池４４を使い、ユニット建物１０で使用する電気を蓄電及び給電する省エネ技術の一種である。例えば、この建物用蓄電システムを用いた場合、昼間はソーラーシステムで得られた電力等を蓄電池４４に蓄えると共に夜間は料金が安い深夜電力を蓄電池４４に蓄え、昼間の料金が高い時間帯に蓄電池４４で蓄電した電力を放電して利用するといった使い方ができる。
【００６２】
また、蓄電池収納庫４０内に収納される蓄電池４４としては、例えば、鉛蓄電池、ニッケル水素蓄電池、リチウムイオン蓄電池といった蓄電池が適用可能であるが、ニッケルカドミウム蓄電池等の他の蓄電池であってもよい。
【００６３】
図１〜図４に示されるように、階段下部２６及び階段上部２８と接する間仕切り壁４２には、踏み板３６ごとに矩形状の開口部７８が形成されている。開口部７８は、折り返し階段２２を側面視で見た場合に踏み板３６の真下に位置するように形成されている（図１参照）。さらに、各開口部７８には、開口部７８を開閉する開口部開閉体としてのシャッタ８０が配設されている。図３（Ａ）、（Ｂ）及び図４に示されるように、シャッタ８０は、開口部７８を閉止可能な大きさの矩形平板状に形成されたシャッタ本体８２と、このシャッタ本体８２の上縁部に設けられた回転軸８４と、を備えている。図４に示されるように、回転軸８４は、間仕切り壁４２における開口部７８の上縁側に設けられた左右一対の軸受８６に回転自在に軸支されている。
【００６４】
さらに、間仕切り壁４２における蓄電池収納室４６側の面には、開閉アーム８８が支軸９０回りに揺動可能に軸支されている。開閉アーム８８は、その周面８８Ａが開口部７８の内側に配置されてシャッタ本体８２の裏面と対向するように配置されている。また、開閉アーム８８の片側の側面の基端部には、ギヤ部９２が固着されている。ギヤ部９２には、モータ９４（図５参照）の駆動力によって減速回転する図示しない減速機構の出力ギヤが噛み合っている。従って、モータ９４が正転すると、開閉アーム８８が図５の矢印Ｂ方向へ揺動され、モータ９４が逆転すると、開閉アーム８８が図５の矢印Ｂ方向と反対方向へ揺動されるようになっている。
【００６５】
また、図１及び図５に示されるように、上述した階段室２０内の踊り場３０付近には、階段設置側スペース気温検出手段としての階段設置側スペース気温検出センサ９６が配設されている。階段設置側スペース気温検出センサ９６は階段室２０内の気温を常時検出し、制御手段としてのコントローラ９８に出力している。また、図５及び図６に示されるように、蓄電池収納室４６内の上部には、蓄電池収納室内気温検出手段としての蓄電池収納室内気温検出センサ１００が配設されている。蓄電池収納室内気温検出センサ１００は蓄電池収納室４６内の気温を常時検出し、コントローラ９８に出力している。
【００６６】
さらに、図２及び図５に示されるように、階段室２０の階段下部２６及び階段上部２８に接する壁側には、送気手段としてのファン１０２が配設されている。なお、本実施形態では、階段室２０の階段下部２６及び階段上部２８に接する壁側にファン１０２を設置しているが、開口部７８に設置してもよい。ファン１０２は吸引式とされており、コントローラ９８によってその作動が制御されている。また、蓄電池収納室４６の上端部には、排気手段としての排気ファン１０４が配設されている。排気ファン１０４は吸引式とされており、作動することにより蓄電池収納室４６内の空気を天井裏スペース（小屋裏スペース）７２に排出するようになっている。なお、排気ファン１０４もコントローラ９８によってその作動が制御されている。また、蓄電池収納室４６の床面には給気口１０６（図６参照）が形成されている。
【００６７】
（作用・効果）
次に、本実施形態の作用並びに効果について説明する。
【００６８】
＜冬季等の場合＞
コントローラ９８では、階段設置側スペース気温検出センサ９６による検出温度が第１の所定温度（例えば、１０℃）未満か否かを判断し、検出温度が第１の所定温度未満の場合には、階段室２０内の気温が低いと判断し、シャッタ８０を開放させるべく、モータ９４に正転駆動信号が送られる。これにより、モータ９４は所定回転数正転駆動し、図示しない減速ギヤを介して開閉アーム８８のギヤ部９２を図４の矢印Ｂ方向へ所定量回転させる。このため、開閉アーム８８が矢印Ｂ方向へ支軸９０回りに揺動される。開閉アーム８８が矢印Ｂ方向へ揺動すると、その先端部がシャッタ本体８２の裏面に当接し、更に開閉アーム８８が揺動されることにより、シャッタ本体８２が所定開度（例えば、９０度）だけ支軸９０回りに揺動されて、開口部７８が開放される。
【００６９】
続いて、コントローラ９８では、ファン１０２に対して作動信号を出力し、ファン１０２を作動させる。これにより、ファン１０２の吸引力が開口部７８に及び、蓄電池収納室４６内の蓄電池４４からの排熱によって暖められた暖気が開口部７８を通って階段室２０内へ送気される。送気された暖気は、開口部７８が踏み板３６の下方に形成されているため、踏み板３６の下側へ送り込まれる。その結果、踏み板３６及びその周囲が暖められて階段室２０内が暖められる。
【００７０】
このように冬季等において階段室２０内の気温が低い場合には、開口部７８が開放されて蓄電池収納室４６内の暖気及び排熱が階段室２０内へ供給される。その結果、折り返し階段２２の踏み板３６及びその周囲が暖められる。すなわち、蓄電池４４の排熱利用を図ることができる。
【００７１】
＜夏季等の場合＞
一方、蓄電池収納室内気温検出センサ１００によって検出された気温が、第１の所定温度より高い第２の所定温度（例えば、３０℃）以上の場合には、コントローラ９８によって排気ファン１０４が作動される。このため、蓄電池収納室４６内の高温の空気が天井裏スペース７２へ排気される。なお、排気時の給気は蓄電池収納室４６の床面に設けた給気口１０６から成される。これにより、床下スペース７６内の冷気が取込まれるので、蓄電池収納室４６内の気温を効果的に下げることができる。
【００７２】
このように夏季等において蓄電池収納室４６内の気温が蓄電池４４の排熱によって高温になった場合には、排気ファン１０４が作動されて蓄電池収納室４６内の高温の空気が天井裏スペース７２内へ排気される。その結果、夏季等の気温が高いときには、蓄電池収納室４６内の高温の空気が積極的に排気され、蓄電池４４の温度上昇が抑制される。
【００７３】
なお、このときには、階段室２０内の気温は第１の所定温度以上であるから、コントローラ９８によってモータ９４及びファン１０２は停止状態とされるので、夏季等において階段室２０内に蓄電池収納室４６内の高温の空気が取込まれることはない。
【００７４】
以上より、本実施形態に係る蓄電池収納庫及びこれを用いた階段並びに建物によれば、蓄電池４４の性能を良好に維持することができ 、しかも排熱利用の促進を図ることができる。
【００７５】
また、上述した本実施形態の蓄電池収納室４６は、ユニット建物１０の折り返し階段２２の側面に立設された平面視で矩形状の間仕切り壁４２を壁面として利用して建物高さ方向に延在されている。このスペースは通常デッドスペースとされる。従って、本実施形態に係る蓄電池収納庫及びこれを用いた階段並びに建物によれば、ユニット建物１０内のスペースの有効利用を図ることができる。
【００７６】
加えて、本実施形態では、間仕切り部４２を利用して蓄電池収納庫４０を構成することにより大容量の蓄電池収納スペースを確保することができると共に、間仕切り壁４２には窓等が設置されることがなく、ユニット建物１０の壁面から離れた位置に配置されるため、外部からの影響を受け難い。従って、この観点からも、蓄電池４４の性能を良好に維持することができる。
【００７７】
さらに、また、本実施形態では、階段設置側スペース気温検出センサ９６を用いて階段室２０内の気温を検出し、この検出温度に基づいてシャッタ８０及びファン１０２の作動をコントローラ９８で制御するようにしたので、冬季等の気温が低いときに折り返し階段２２の踏み板３６及びその周囲を自動的に暖めることができる。
【００７８】
なお、この点につき補足すると、上述した実施形態では、シャッタ８０をモータ駆動方式にしてコントローラ９８で自動的に開閉制御するようにしたが、必ずしもそのようにする必要はなく、請求項１記載の発明には、シャッタ８０等の開口部開閉体を手動にて開閉するものも含まれる。
【００７９】
また、本実施形態では、蓄電池収納室４６内には収納棚４８が設置されており、棚部５２には配電ボード６０が設けられているので、同じ段に収納された複数の蓄電池４４はこの配電ボード６０を用いて収納させることにより、電気的接続状態が確保される。このため、蓄電池４４の結線作業、配線作業を削減することができる。
【００８０】
さらに、本実施形態では、収納棚４８に設けた配線スペース６６は下階側から上階側に亘って建物高さ方向に延在するため、上下階で支障物のない一繋がりの連続した空間が形成される。このため、上下階に亘る配線の結線作業や配線作業が容易になる。
【００８１】
加えて、この配線スペース６６は各階の床又は天井の高さで電気配線の横引きが可能となるように形成されているので、太陽光発電用の外部電源や商用電源、自然冷媒ヒートポンプ給湯機との接続が容易になる。その結果、本実施形態によれば、蓄電池４４と外部電源等との接続を容易にすることができる。さらに言及すると、太陽電池から蓄電池、蓄電池から各設備機器への配線の立面スペースを確保する必要がなくなり、プランニングが容易になるというメリットもある。
【００８２】
また、本実施形態では、蓄電池４４を収納させる際には各棚部５２に設けられた複数のローラ５６上に蓄電池４４を載置させ、そのまま蓄電池４４を押せば蓄電池４４はローラ５６上を滑動しながら棚部５２の奥側に移動させることができる。しかも、蓄電池４４が複数のローラ５６上を滑動する際には蓄電池４４の電源端子が配電ボード６０に設けられた導通面上を摺動することにより、電気的接続状態が維持されるので、蓄電池４４を棚部５２の奥側へ収納してから電気的接続状態を担保する場合に比べて作業負担が非常に少なくなる。よって、本実施形態によれば、蓄電池４４の棚部５２への収納時の作業負担を非常に軽減することができる。
【００８３】
さらに、本実施形態では、折り返し階段２２（又は回り階段）が蓄電池収納庫４０を予め備えているので、蓄電池収納庫４０を折り返し階段（又は回り階段）に後付けする場合に比べて費用がかからない。つまり、蓄電池収納庫４０を折り返し階段（又は回り階段）に後付けする場合には、階段自体をある程度解体しなければ蓄電池収納庫４０を設置することができないため、改築費用がかかるが、折り返し階段２２（又は回り階段）に予め蓄電池収納庫４０を組み込んでおけば、費用は最小限に抑えられる。このことは、階段として観た場合だけでなく、建物として観た場合にも当てはまる。よって、本実施形態によれば、ユーザーの費用負担を抑えながら蓄電池収納庫４０を持つことができる。
【００８４】
〔第２実施形態〕
【００８５】
次に、図１０を用いて、本発明に係る蓄電池収納庫及びこれを用いた階段並びにユニット建物の第２実施形態について説明する。なお、前述した第1実施形態と同一構成部分については、同一番号を付してその説明を省略する。
【００８６】
図１０に示されるように、この第２実施形態では、第１実施形態で説明した収納棚４８内に換気手段としての換気装置１２０を設けた点に特徴がある。
【００８７】
具体的には、換気装置１２０は、収納棚４８内に立設された給気ダクト１２２と、収納棚４８の上端側の棚部５２上に載置された給気ユニット１２４と、収納棚４８の下端部に取り付けられた排気ユニット１２６と、によって構成されている。
【００８８】
給気ダクト１２２の下端部は収納棚４８の下端部に到達しており、この下端部が床下スペース７６と連通された床下空気取入口１２８とされている。また、給気ダクト１２２の上端部は直角に屈曲されており、その屈曲端部が給気ユニット１２４に接続されている。この給気ユニット１２４内には、図示しない給気ファンが配設されている。さらに、給気ユニット１２４のケーシングの底壁部には、図示しない排気用の開口部が形成されている。
【００８９】
一方、収納棚４８の下端部に設置された排気ユニット１２６内には図示しない排気ファンが配設されている。さらに、排気ユニット１２６のケーシングの底壁部には、排気管１３０の一端部が接続されている。排気管１３０は床下スペース７６内を横引されており、又排気管１３０の他端部はユニット建物１０の基礎に設けられた通気口（図示省略）に接続されている。
【００９０】
（作用・効果）
【００９１】
上記構成によれば、蓄電池収納室内気温検出センサ１００によって検出された気温が第１の所定温度よりも高い第２の所定温度（例えば、３０℃）未満の場合には、コントローラ９８によって換気装置１２０が停止状態とされる。従って、冬季等において蓄電池収納室４６内の気温が３０℃よりもずっと低く１０℃未満でシャッタ８０が開放されているような場合に、床下スペース７６内の低温の空気が蓄電池収納室４６内へ導入されることはない。
【００９２】
一方、蓄電池収納室内気温検出センサ１００によって検出された気温が第２の所定温度以上の場合にはコントローラ９８によって換気装置１２０が作動される。すなわち、給気ユニット１２４及び排気ユニット１２６が作動される。このため、床下スペース７６内の冷気が給気ダクト１２２の床下空気取入口１２８から導入されて（図１０に矢印Ｃでこのときの気流の流れを示す）、給気ダクト１２２に沿って上昇し、給気ユニット１２４の排気用の開口部から蓄電池収納室４６の上部空間に排気される。給気ユニット１２４から排気された冷気は、蓄電池４４自体を冷却すると共に蓄電池４４から排出された排気から熱を奪いながら、蓄電池収納室４６内を下降していく（図１０に矢印Ｄでこのときの気流の流れを示す）。そして、蓄電池収納室４６の下部へ降りてきた冷気（この時点では蓄電池４４から排出された熱を吸熱しているので、床下スペース７６内の冷気よりも温度が高くなっている。）は、排気ユニット１２６に吸い込まれて排気管１３０を通って屋外へ排気される。これにより、蓄電池４４が冷却されて蓄電池４４の性能が低下するのを防ぐことができる。その結果、本実施形態によれば、夏季等の気温が高い時期に蓄電池４４が高温になるのを抑制し、蓄電池４４の性能を良好に保つことができる。
【００９３】
また、本実施形態では、給気ダクト１２２及び給気ユニット１２４を設置したので、床下スペース７６内の冷気の冷熱を、給気ダクト１２２を通る際の熱損失以外は損失することなく、蓄電池収納室４６内の上部に届けることができる。従って、排熱が溜まる蓄電池収納室４６の上部を効果的に冷却することができる。つまり、蓄電池収納室４６内の最も冷却したいところから冷却することができ、それにより蓄電池４４を効果的に冷却することができる。
【００９４】
〔第３実施形態〕
【００９５】
次に、図１１〜図１３を用いて、本発明に係る蓄電池収納庫及びこれを用いた階段並びにユニット建物の第３実施形態について説明する。なお、前述した第1実施形態等と同一構成部分については、同一番号を付してその説明を省略する。
【００９６】
図１１〜図１３に示されるように、この第３実施形態では、間仕切り壁４２の一対の桁面及び一方の妻面の所定位置に、蓄電池４４を取り出すための取出し口１４０が形成されている点に特徴がある。
【００９７】
具体的に説明すると、間仕切り壁４２の一対の桁面には、階段下部２６及び階段上部２８の踏み板３６の上方側近傍に、取出し口１４０が形成されている。また、間仕切り壁４２の階段に面した側の妻面には、最下段の踏み板３６の側方に位置する棚部５２並びに二階フロア面（２ＦＬ）の上方に位置する下から二段目及び三段目の棚部５２の配置位置に、取出し口１４０が形成されている。従って、この実施形態では、図１１にＸで示される範囲が蓄電池収納範囲とされている。これらの取出し口１４０は、蓄電池４４が挿通可能な矩形状に形成されている。
また、図１２及び図１３に示されるように、取出し口１４０には、これを開閉する矩形平板状の扉１４２が設けられている。この取出し口開閉体としての扉１４２はその上縁側が取出し口１４０の上縁側に回転可能に支持されており、階段室２０側へ開放されるようになっている。各扉１４２は、間仕切り壁４２の
【００９８】
また、第３実施形態に係る蓄電池４４では、間仕切り壁４２の桁面側に形成された取出し口１４０から蓄電池４４を取り出す際に、配電ボード６０の溝６２に蓄電池４４の電源端子６４が引っ掛かるため、取出し方向への外力が電源端子６４から溝６２の壁面に作用した際に、電源端子６４が沈み込むように電源端子６４がケーシング４５に支持されている。例えば、電源端子６４の上端側の両角部をテーパ状にカットしておき、溝６２の壁面がテーパ面に当接すると、下方への分力が発生し、電源端子６４が付勢手段の付勢力に抗して下方へ変位するようにしておけばよい。また、電源端子６４の下方への移動ストロークを確保するには、前述した第１実施形態で説明したフローティング支持構造を発展させて蓄電池４４のケーシング４５の頂壁部に凹溝を設けておき、この凹溝内に電源端子６４が入り込むようにしておけばよい。
【００９９】
（作用・効果）
【０１００】
上記構成によれば、蓄電池４４を交換したり、点検したりする際には、図１２に示されるように階段途中から扉１４２を開放させることにより、或いは図１３に示されるように階段フロア側から扉１４２を開放させることにより、蓄電池４４を収納棚４８から取り出すことができる。蓄電池４４のメンテナンスが終わり、蓄電池４４を収納棚４８に戻す際には、再び扉１４２を開けて蓄電池４４を収納棚４８に戻せばよい。
【０１０１】
このように本実施形態によれば、間仕切り壁４２に取出し口１４０及びこれを開閉する扉１４２を形成することで、蓄電池４４のメンテナンス性を向上させることができる。
【０１０２】
なお、扉１４２はその上縁回りに回転する構成であったが、これに限らず、扉を引戸式にスライドさせるようにしてもよい。
【０１０３】
〔上記実施形態の補足説明〕
【０１０４】
上述した実施形態では、ユニット建物１０に対して本発明を適用したが、これに限らず、折り返し階段又は回り階段を備えた建物であれば、本発明は適用可能である。
【図面の簡単な説明】
【０１０５】
【図１】第１実施形態に係る蓄電池収納庫及びこれを備えた階段の要部構成を示す側面図（立面図）である。
【図２】図１に示される蓄電池収納庫及びこれを備えた階段の平面図である。
【図３】（Ａ）はシャッタが開放された状態を示す側面図であり、（Ｂ）はシャッタが閉止された状態を示す側面図である。
【図４】図３に示されるシャッタの開閉機構を示す分解斜視図である。
【図５】システム構成を示すブロック図である。
【図６】第１実施形態に係る蓄電池収納庫及びこれを備えた階段並びに建物の全体構成を示す側面図（立面図）である。
【図７】図６に示される収納棚のフレーム構造を示す斜視図である。
【図８】棚部に蓄電池が収納される際の様子を拡大して示す斜視図である。
【図９】図８に示される配電ボード及び蓄電池並びにローラの構成を中心に示す要部拡大斜視図である。
【図１０】第２実施形態に係る蓄電池収納庫の要部である換気装置及を中心に示す収納棚の斜視図である。
【図１１】第３実施形態に係る蓄電池収納庫及びこれを備えた階段並びに建物の全体構成を示す側面図（立面図）である。
【図１２】階段途中から蓄電池を取り出す様子を示す正面図である。
【図１３】階段フロア側から蓄電池を取り出す様子を示す斜視図である。
【符号の説明】
【０１０６】
１０      ユニット建物（建物）
２０      階段室（階段設置側スペース）
２２      折り返し階段
３６      踏み板
４０      蓄電池収納庫
４２      間仕切り壁（中壁）
４４      蓄電池
４６      蓄電池収納室
４８      収納棚
５２      棚部
５６      ローラ
６０      配電ボード（配電部材）
６４      電源端子
６６      配電スペース
７２      天井裏スペース
７４      電気配線
７６      床下スペース
７８      開口部
８０      シャッタ
９６      階段設置側スペース気温検出センサ（階段設置側スペース気温検出手段）
９８      コントローラ（制御手段）
１００    蓄電池収納室内気温検出センサ（蓄電池収納室内気温検出手段）
１０２    ファン（送気手段）
１０４    排気ファン（排気手段）
１２０    換気装置（換気手段）
１２２    給気ダクト
１２４    給気ユニット
１２６    排気ユニット
１２８    床下空気取入口
１３０    排気管（排気手段）
１４０    取出し口
１４２    扉（取出し口開閉体）
【図１】
2010174592.tif 000003
【図２】
2010174592.tif 000004
【図３】
2010174592.tif 000005
【図４】
2010174592.tif 000006
【図５】
2010174592.tif 000007
【図６】
2010174592.tif 000008
【図７】
2010174592.tif 000009
【図８】
2010174592.tif 000010
【図９】
2010174592.tif 000011
【図１０】
2010174592.tif 000012
【図１１】
2010174592.tif 000013
【図１２】
2010174592.tif 000014
【図１３】
2010174592.tif 000015